(57)【要約】【課題】使用時に、頭部だけでなく、頸部のフィット感も良好に保つことができ、使用者に快適な寝心地を与えることができる枕を提供する。【解決手段】所定の高さを有する基台と、基台上に設けられ、内部に気体を充填した平型袋状の下部マットと、下部マット上に設けられ、内部に気体又は液体を充填して弾力性を持たせた平型袋状の上部マットとを有する枕において、下部マットにおける使用者の頸部に位置する端縁に、内部に気体を充填して弾力性を持たせた両端閉塞筒状の頸部支持体を、基台からせり出すように設け、上部マットを頸部支持体上まで伸延させた。【選択図】図１
2009160194.tif 000002
【特許請求の範囲】
【請求項１】
所定の高さを有する基台と、前記基台上に設けられ、内部に気体を充填した平型袋状の下部マットと、前記下部マット上に設けられ、内部に気体又は液体を充填して弾力性を持たせた平型袋状の上部マットとを有し、
前記下部マットにおける使用者の頸部に位置する端縁に、内部に気体を充填して弾力性を持たせた両端閉塞筒状の頸部支持体を、前記基台からせり出すように設け、
前記上部マットが前記頸部支持体上まで伸延していることを特徴とする枕。
【請求項２】
前記上部マットは、内部に複数の仕切りを有し、各前記仕切り間における上面を湾曲した凸形状にすると共に、左右の一方から他方へ向けて高さが徐々に増すように形成したことを特徴とする請求項１に記載の枕。
【請求項３】
前記下部マットは、上面に保冷材を収納可能な凹部を有することを特徴とする請求項１又は請求項２に記載の枕。
【請求項４】
前記下部マットの前記頸部支持体を設けた端縁と相対する端縁に、内部に気体を充填して弾力性を持たせ、前記頸部支持体とは径が異なる両端閉塞筒状の補助頸部支持体を設けたことを特徴とする請求項１〜３のいずれか１項に記載の枕。
【請求項５】
前記下部マット及び前記頸部支持体内部の気体の量を増減させることにより、当該枕の高さを調節する高さ調節手段を有することを特徴とする請求項１〜４のいずれか１項に記載の枕。
【発明の詳細な説明】
【技術分野】
【０００１】
本発明は、枕に関するものであり、特に、使用者の頭を載せる部材の内部に液体又は気体を充填することによって、使用感を向上させた枕に関するものである。
【背景技術】
【０００２】
従来より、内部に水等の液体や空気等の気体を充填した密閉袋体によって構成された枕が広く知られている。
【０００３】
この種の枕は、使用者の頭の形状に合わせて変形するので、使用時のフィット感が良いという利点や、内部に冷水を充填しておくことによって、気温が高い夏場において快適に就寝することができるという利点などがある。
【０００４】
しかし、この種の枕では、一般に液体などを充填した袋体が一つの袋体により構成されていたため、頭を左右に移動した際、内部の液体などが頭を移動した側とは逆側に急速に移動して、頭の安定性が悪くなるという問題があった。
【０００５】
かかる問題を解決する枕として、液体を充填した縦長の筒状容器を複数並列して横方向に並べ、これらの容器のうち、左右両端に配設する容器の高さを、中央に配設する容器の高さよりも高くして、頭の安定性を向上させた枕が考案されている（たとえば、特許文献１参照。）。
【特許文献１】特開２００２−１５９３８８号公報
【発明の開示】
【発明が解決しようとする課題】
【０００６】
ところが、上記従来の枕は、頭の安定性は向上するものの、就寝時における頭と頸部との位置関係については、考慮されていなかったため、頸部におけるフィット感について改良の余地が残されており、使用者に快適な寝心地を与えることができないおそれがあった。
【課題を解決するための手段】
【０００７】
そこで、請求項１に係る本発明では、所定の高さを有する基台と、前記基台上に設けられ、内部に気体を充填した平型袋状の下部マットと、前記下部マット上に設けられ、内部に気体又は液体を充填して弾力性を持たせた平型袋状の上部マットとを有し、前記下部マットにおける使用者の頸部に位置する端縁に、内部に気体を充填して弾力性を持たせた両端閉塞筒状の頸部支持体を、前記基台からせり出すように設け、前記上部マットが前記頸部支持体上まで伸延している枕を提供することとした。
【０００８】
また、請求項２に係る本発明では、請求項１に記載の枕において、前記上部マットは、内部に複数の仕切りを有し、各前記仕切り間における上面を湾曲した凸形状にすると共に、左右の一方から他方へ向けて高さが徐々に増すように形成したことを特徴とする。
【０００９】
また、請求項３に係る本発明では、請求項１又は請求項２に記載の枕において、前記下部マットは、上面に保冷材を収納可能な凹部を有することを特徴とする。
【００１０】
また、請求項４に係る本発明では、請求項１〜３のいずれか１項に記載の枕において、前記下部マットの前記頸部支持体を設けた端縁と相対する端縁に、内部に気体を充填して弾力性を持たせ、前記頸部支持体とは径が異なる両端閉塞筒状の補助頸部支持体を設けたことを特徴とする。
【００１１】
また、請求項５に係る本発明では、請求項１〜４のいずれか１項に記載の枕において、前記下部マット及び前記頸部支持体内部の気体の量を増減させることにより、当該枕の高さを調節する高さ調節手段を有することを特徴とする。
【発明の効果】
【００１２】
本発明では、使用時に、頭部だけでなく、頸部のフィット感も良好に保つことができ、使用者に快適な寝心地を与えることができる枕を提供することができる。
【発明を実施するための最良の形態】
【００１３】
以下、本発明の一実施形態について、図面を参照して具体的に説明する。図１は、本実施形態に係る枕を示す斜視による説明図であり、図２は、図１のＡ−Ａ´線における枕の断面視による説明図である。
【００１４】
図１及び図２（ａ）に示すように、本実施形態に係る枕１は、所定の高さを有する基台２と、この基台２上に設けられ、内部に気体を充填した平型袋状の下部マット３と、この下部マット３上に設けられ、内部に気体又は液体を充填して弾力性を持たせた平型袋状の上部マット４とを備え、敷布団や床の上など、ユーザが横になる場所に、基台２を下側にして載置し、上部マット４上に頭を載せて使用するものである。なお、本実施形態では、枕１の平面視における寸法の一例として、横方向の長さを５０〜６０ｃｍ、縦方向の長さを３０〜４０ｃｍのものを想定している。
【００１５】
特に、この枕は、下部マット３における使用者の頸部に位置する端縁に、内部に気体を充填して弾力性を持たせた両端閉塞筒状の頸部支持体５を、基台２からせり出すように設けるとともに、上部マット４を、この頸部支持体５の上面まで伸延させている。
【００１６】
そのため、この枕１は、図２（ｂ）に示すように、使用者Ｕが上部マット４に頭部を載せて横になった際、使用者Ｕの頭部の重さによって上部マット４が使用者Ｕの頭部形状に合わせて変形して、使用者Ｕの頭部に良好にフィットするだけでなく、使用者Ｕの頸部の重さによって、当該頸部に当接する上部マット４の端部と頸部支持体５とが、使用者Ｕの頸部形状に合わせて変形して、使用者Ｕの頸部にもフィットするので、使用者に快適な寝心地を与えることができる枕を提供することができる。
【００１７】
ここで、本実施形態の枕１を構成する各部材について、より具体的に説明する。
【００１８】
図１及び図２（ａ）に示すように、基台２は、樹脂などの軽量硬質材料により形成され、上面が開放され、所定の高さ（例えば、２〜４ｃｍ程度）の有底薄型の箱により構成しており、その底面積が一般的な枕の占める面積と同程度になるように形成している。
【００１９】
また、下部マット３は、塩化ビニルなどの可撓性を有する樹脂フィルムにより形成され、内部に所定量の気体（ここでは、空気）を充填した複数本（ここでは、４本）の横長袋体を備えている。
【００２０】
そして、これら４本の横長袋体は、それぞれ長手方向の側面同士を接合した状態で、基台２の底面上に、長手方向を横向きに並列して配置され、各横長袋体の上面が側面視基台２の側壁から上方へ蒲鉾形に突出するように配設される。
【００２１】
また、各横長袋体の側面には、隣接する横長袋体との間で空気の行き来を可能とするための通気孔を備えている。
【００２２】
なお、ここでは、横長袋体の側面に、隣接する横長袋体との間で空気の行き来を可能とする通気孔を設けているが、隣接する横長袋体の間で空気の行き来が可能となる構成であれば、任意の構造を用いることができ、たとえば、隣接する横長袋体との接合面にスリットを設ける構成にしてもよい。
【００２３】
また、この下部マット３は、上記のように、使用者Ｕが上部マット４に頭部を載せた際、使用者Ｕの頸部に位置する端縁に、頸部支持体５を備えている。
【００２４】
この頸部支持体５は、下部マット３と同一の材料により形成しており、内部に充填する空気の量により、その弾力性を調節できるように構成している。
【００２５】
特に、本実施形態では、図２（ａ）に示すように、頸部支持体５の長手方向の側面と、下部マット３を構成する４本の横長袋体のうち、最も使用者Ｕの頸部と近い位置に配設されている横長袋体の長手方向の側面とを、基台２の側壁上で接合して連結配置している。
【００２６】
かかる構成により、使用者Ｕが上部マット４に頭部を載せると、頸部支持体５は、使用者Ｕの頸部の重さにより上下方向に押し潰されることになるが、このとき、頸部支持体５は、断面視において、図２（ｂ）に示すように、その端面が基台２の側壁に阻まれて使用者Ｕの頭部側へ伸びることがなく、使用者Ｕの頸部から肩（首の付け根）の方向へ向けて伸延することとなる。
【００２７】
その結果、この枕１では、頸部支持体５が使用者Ｕの頸部及び肩と敷布団（床）との間に生じる隙間を埋める形に変形して、使用者Ｕの頸部のみならず肩に対しても良好にフィットし、使用者Ｕの安定した寝姿勢を保ちつつ、使用者Ｕに快適な寝心地を与えることができる。
【００２８】
また、この枕１は、下部マット３の頸部支持体５を設けた端縁と相対する端縁に、内部に気体を充填して弾力性を持たせ、前述の頸部支持体５とは径が異なる両端閉塞筒状の補助頸部支持体５ａを備えている。
【００２９】
この補助頸部支持体５ａも、頸部支持体５と同様に、下部マット３と同一の材料により形成しており、内部に充填する空気の量により、その弾力性を調節できるように構成している。
【００３０】
特に、本実施形態では、この補助頸部支持体５ａの円筒部の径を、頸部支持体５の円筒部の径よりも小さく形成している。
【００３１】
かかる構成により、頸部支持体５に頸部を載せた場合、首の高さが高いと感じる使用者Ｕは、この補助頸部支持体５ａに頸部を載せ、頭部を上部マット４に載せて使用すれば、自分の体格（横になったときの頭部、頸部、肩の位置関係）にあった枕１として使用することができ、女性や子供のように、平均的な成人男性よりも小柄な使用者Ｕに対しても、その頭部、頸部、肩に良好にフィットする枕１とすることができる。
【００３２】
さらに、この枕１の下部マット３は、その上面に保冷材を収納可能な凹部３ａを備えている。本実施形態では、４本の横長袋体のうち、両端に配設した２本の横長袋体の高さよりも、当該両端の横長袋体の間に配設している２本の横長袋体の高さを低く形成することによって、凹部３ａを形成している。
【００３３】
このように、下部マット３に凹部３ａを設けることによって、凹部３ａ内に冷凍した保冷材７を収納すれば、枕全体を外気よりも低温に保つことができ、しかも、下部マット３上に配設する上部マット４内には、空気よりも熱伝導性及び熱容量の高い水を充填しているため、気温の高い夏場に快適に使用することができる他、使用者が発熱している場合には、氷枕としても使用することができる。
【００３４】
上部マット４は、内部に複数の仕切りを有し、所定量の液体（ここでは、水）を充填することによって、各仕切り間における上面を湾曲した凸形状に形成している。
【００３５】
この上部マット４は、その内周面及び仕切りが、塩化ビニルなどの可撓性を有する樹脂フィルムにより形成され、その外周面が綿などの吸湿性を有する布材により被覆されている。
【００３６】
本実施形態では、上部マット４内の仕切りを、縦方向に複数列並べて配設することによって、上部マット４内部を縦長の複数の空間に分割すると共に、上部マット４の表面に、縦方向に伸びる湾曲凸形状の山と、Ｖ字状の谷とを交互に形成している。なお、上部マット４内部に設けた各仕切りには、隣り合う空間の間で水の行き来を可能とする通水孔を形成している。
【００３７】
このように、上部マット４を構成することによって、使用者Ｕが上部マット４に頭部を載せると、その部分における上部マット４内の空間から、水が仕切りに設けた通水孔を介して、隣接した両側の空間へ流れ込み、使用者Ｕの頭部にフィットする形に変形する。
【００３８】
このように、本実施形態では、使用者Ｕが頭部を載せる部分である上部マット４の内部に水を充填しているため、低反発マットなどを用いた他の枕に比べ、比較的早く使用者Ｕの頭部の形状にフィットする形に変形する。
【００３９】
しかも、上部マット４の内部を仕切りにより複数の空間に分割しており、内部の水は、仕切りに形成した通水孔を介してしか隣接する空間内に流入することができないため、睡眠中に使用者Ｕが多少頭を左右に動かしても、上部マットの形状が急激に変形することがなく、安定した寝姿勢を保つことができる。
【００４０】
さらに、上部マット４の表面には、縦方向に伸びる湾曲形状の山と、Ｖ字状の谷とが左右交互に並んでいるので、使用者Ｕが、この谷の部分に頭を載せることで、頭の安定性をより一層向上させることができる。
【００４１】
また、本実施形態に係る枕１は、使用者Ｕの頭部から肩（首の付け根）にかけてのラインに対するフィット感や、使用中における頭部の安定感に加え、使用者Ｕによってそれぞれ異なる枕の好みの高さについても考慮した構造としている。
【００４２】
一般に、使用者Ｕが違えば、その使用者Ｕ毎に、それぞれ枕の好みの高さもちがってくるものである。
【００４３】
また、使用者Ｕによっては、寝姿勢として通常の仰向け寝（上向き寝）よりも、横臥（横向き寝）を好む人もおり、横向き寝をする場合には、上向き寝をする場合よりも高い枕が必要となる。この横向き寝は、近年、いびき防止や睡眠時無呼吸症候群に対して効果があることも実証されている。
【００４４】
そこで、本実施形態の枕１では、上記した特徴的な構成に加え、特に、上部マット４の上面を、左右の一方から他方へ向けて高さが徐々に増すように形成している。
【００４５】
すなわち、本実施形態では、図１に示すように、上部マット４の上面と下面との間の厚さ（以下、単に「上部マット４の厚さ」という。）を、枕１の左側から右側へ向けて、当該上部マット４上面に形成した湾曲形状の山毎に段階的に厚く形成することによって、枕１全体の高さが左から右へ向かうにつれて高くなるように形成している。なお、本実施形態では、水を充填した状態での上部マット４の断面視における厚さの一例として、最も薄い部分が厚さ略５ｃｍ、最も厚い部分が厚さ略８ｃｍのものを想定している。また、湾曲形状の山の幅の一例としては、幅５〜８ｃｍのものを想定している。
【００４６】
そのため、この枕１は、使用者Ｕが上部マット４上において所望する高さのところを選択して頭部を載せて休むことができ、一つの枕１でありながら、上向き寝と横向き寝との両方に対応することができる。
【００４７】
ここで、本実施形態の枕１の使用形態について、図３を参照して説明する。図３は、本実施形態に係る枕１の使用形態を示す断面視による説明図であり、より具体的には、図３（ａ）及び図３（ｃ）が図１のＢ−Ｂ´線における枕１の断面視による説明図であり、図３（ｂ）が図１のＣ−Ｃ´における枕１の断面視による説明図であり、図３（ｄ）が図１のＤ−Ｄ´における枕１の断面視による説明図である。
【００４８】
使用者Ｕが、比較的低い枕１を好む場合や、上向き寝を好む場合は、図３（ａ）、（ｂ）に示すように、上部マット４の厚さが比較的薄い側（図３（ａ）では、左側）に頭部を載せて横になることによって、当該枕１を比較的高さの低い枕１として使用することができる。
【００４９】
このとき、図３（ａ）に示すように、上部マット４の表面に形成されたＶ字状の谷部分（湾曲凸形状の山と山の間）に使用者Ｕの頭部を載せることによって、頭部が安定して支持されることとなる。
【００５０】
また、本実施形態の枕１では、このように上部マット４の比較的薄い部分に使用者Ｕの頭部を載せた場合であっても、頸部支持体５は枕１の左右方向において、筒部分の径を均等に形成しているため、図３（ｂ）に示すように、使用者Ｕの頸部から肩（首の付け根）にかけてのラインに沿って変形し、この部分に良好にフィットすることとなる。
【００５１】
一方、使用者Ｕが、比較的高い枕１を好む場合や、横向き寝を好む場合は、図３（ｃ）に示すように、上部マット４の厚さが比較的厚い側（図３（ｃ）では、右側）に頭部を載せて横になることによって、当該枕１を比較的高さの高い枕１として使用することができる。
【００５２】
このときも、図３（ｃ）に示すように、上部マット４の表面に形成されたＶ字状の谷部分（湾曲凸形状の山と山の間）に使用者Ｕの頭部を載せることによって、頭部が安定して支持されることとなる。
【００５３】
そして、当然ながら、使用者Ｕは、上部マット４上において、頭部を載せる位置を変更しながら、自分にとって最も寝心地のよい枕１の高さを探して使用することもできる。
【００５４】
さらに、この枕１は、使用者が上部マット４上において、頭部を載せる位置を変更しても、枕１の高さについて所望の高さとなる位置を見つけることができなかった場合に、枕１の高さを微調整可能とした高さ調整手段を備えている。
【００５５】
この高さ調整手段は、下部マット３、頸部支持体５、補助頸部支持体５ａ内部の気体の量を増減させることにより、当該枕１の高さを調節するものであり、本実施形態では、図１に示すように、加圧ポンプ６と、この加圧ポンプ６に連結されたチューブ６ｂと、加圧ポンプ６から圧出されチューブ６ｂを介して送気される空気を下部マット３と頸部支持体５と補助頸部支持体５ａとにそれぞれ注入する分岐パイプ６ｃとにより構成している。なお、図中の符号６ａは、排気弁である。
【００５６】
上記のように、この高さ調整手段は、枕１全体の高さを微調整する際に使用するものであり、使用者Ｕが、まず、上部マット４上において、頭部を載せる位置を変更しながら、大まかに自分が所望する枕１の高さの位置を選択し、その後、当該高さ調整手段を操作して、枕１の高さを最適な高さに設定するものである。
【００５７】
そして、使用者Ｕは、枕１の高さを高くする場合、排気弁６ａを閉塞した状態で、枕１の高さが所望の高さとなるまで、加圧ポンプ６を繰り返し握る。
【００５８】
この操作により、下部マット３、頸部支持体５、補助頸部支持体５ａのそれぞれに、徐々に空気が送気され、枕１の高さが高くなる。
【００５９】
一方、使用者Ｕは、枕の高さを低くする場合、排気弁６ａを開放する操作を行い、枕１の高さが所望の高さとなったところで、再度排気弁６ａを閉塞する操作を行う。
【００６０】
この操作により、下部マット３、頸部支持体５、補助頸部支持体５ａのそれぞれから、徐々に空気が外部へ放出されて、枕１の高さが低くなる。
【００６１】
このように、本実施形態の枕１では、上部マット４上で頭部を載せる位置を選択することにより、枕１の高さを粗調整することができ、その後、高さ調整手段を操作することにより、枕１の高さを微調整することができるため、当該枕１の高さを使用者Ｕにとって最適に設定することができる。
【００６２】
しかも、この枕１では、基本構造として、頸部支持体５及び補助頸部支持体５ａを取付けた下部マット３と上部マット４という２枚のマットを積層して当該枕１を構成し、このうち、下層側のマット（下部マット３、頸部支持体５、補助頸部支持体５ａ）内の空気量を増減させることによって、当該枕１全体の高さを調整するようにしているため、高さ調整手段により枕１の高さを変更した場合に、下層側のマットの硬さが変化するが、直接使用者Ｕの頭部に当接する上部マット４内の水の量は変化しないため、頭部のフィット感が変化することがない。
【００６３】
また、高さ調整手段の構成は、上記した構成に限定するものではなく、たとえば、下部マット３、頸部支持体５、補助頸部支持体５ａへ送気する空気が充填され、下部マット３、頸部支持体５、補助頸部支持体５ａのそれぞれと開放閉塞可能なチューブなどにより連結された補助袋を設け、この補助袋内の空気を下部マット３、頸部支持体５、補助頸部支持体５ａへ送気することによって、枕１の高さを高くする一方、下部マット３、頸部支持体５、補助頸部支持体５ａ内の空気を補助袋側へ送気することによって、枕１の高さを低くする構成としてもよい。
【００６４】
このように高さ調整手段を構成する場合、補助袋内の空気だけで枕１の高さを十分に高くすることができないおそれがあるため、補助袋と下部マット３、頸部支持体５、補助頸部支持体５ａとを連結するチューブの中途部に、三方活栓などを設け、この三方活栓から、外気を下部マット３、頸部支持体５、補助頸部支持体５ａへ送気するように構成することが望ましい。
【００６５】
このように、高さ調整手段としては、当該枕１の高さを微調整可能とする構成であれば、任意の構成を用いることができる。
【００６６】
また、本実施形態では、上部マット４の表面に、縦方向に伸びる湾曲凸形状の山と、Ｖ字状の谷とを交互に形成した場合を例に挙げて説明したが、上部マット上面の形状は、これに限定するものではなく、枕の高さが左右の一方から他方へ向けて徐々に増す形状であれば、任意に変更してもよい。
【００６７】
ここで、上部マット４の変形例について図４を参照して説明する。図４は、本実施形態の枕における上部マット４の変形例を示す説明図であり、図４（ａ）が、変形例の上部マット４を備えた枕の平面視による説明図であり、図４（ｂ）が、変形例の上部マット４を備えた枕の正面視による説明図である。
【００６８】
この変形例に係る上部マット４０では、図４（ａ）に示すように、上部マット４０の表面に、横方向（枕１の長手方向）に伸びる湾曲凸形状の山と、Ｖ字状の谷とを交互に形成とを交互に形成している。
【００６９】
しかも、この上部マット４０は、正面視において、図４（ｂ）に示すように、枕の高さが左右の一方から他方へ向けて徐々に増すように形成している。
【００７０】
さらに、この変形例における上部マット４０では、平面視上端側における湾曲凸形状の山の幅及び高さを、平面視下側における湾曲凸形状の山の幅及び高さを大きく形成している。
【００７１】
このように、上部マット４０を形成することによって、使用者Ｕは、前述した実施形態における上部マット４と同様に、上部マット４上において頭部を載せる位置を変更することによって、大まかに枕１の所望の高さを探すことができるだけでなく、図４（ａ）における上部マット４０の上端部に頸部を載せるのか、下端部に頸部をのせるのかを選択することによっても、大まかに枕１の所望の高さを探すことができ、これらの組み合わせによって、枕１の高さの粗調整の段階数を多様化させることができる。
【００７２】
また、この変形例における上部マット４０には、図４（ｂ）に示すように、正面視前方から奥行き方向に（上部マット４０内部を平面視縦方向に）貫通する複数の貫通孔４０ａを設けている。
【００７３】
これにより、上部マット４０のクッション性をさらに向上させることができると共に、上部マット４０の厚さ方向における変形量を増大させることができるので、フィット感をさらに向上させることができる。
【００７４】
また、本実施形態では、下部マット３、頸部支持体５、補助頸部支持体５ａにそれぞれ空気を充填し、上部マット４、４０に水を充填したが、枕１を頻繁に移動させない場合には、下部マット３、頸部支持体５、補助頸部支持体５ａ、上部マット４、４０の全てに水などの液体を充填してもよい。
【００７５】
このように構成することによって、枕１の重量が増すので使用中の枕１のずれを防止することができ、しかも、保冷材を凹部３ａに装填した場合には、冷感の持続時間を長くすることができる。
【００７６】
なお、上記実施形態に記載した枕１の寸法などに関する各数値は、単に一例を示したにすぎず、本発明の技術的思想を逸脱しない範囲で適宜変更することができる。
【図面の簡単な説明】
【００７７】
【図１】本実施形態に係る枕を示す斜視による説明図である。
【図２】図１のＡ−Ａ´線における枕の断面視による説明図である。
【図３】本実施形態に係る枕の使用形態を示す断面視による説明図である。
【図４】本実施形態の枕における上部マットの変形例を示す説明図である。
【符号の説明】
【００７８】
１  枕
２  基台
３  下部マット
３ａ  凹部
４、４０  上部マット
５  頸部支持体
５ａ  補助頸部支持体
６  加圧ポンプ
７  保冷材
【図１】
2009160194.tif 000003
【図２】
2009160194.tif 000004
【図３】
2009160194.tif 000005
【図４】
2009160194.tif 000006